(57)【要約】【課題】吸収式冷温水機で、冷水供給運転時に、ガスバーナでの燃焼熱と、排熱流体供給管を介して他の設備から供給される排熱流体とを熱源として吸収液を加熱し沸騰させるものがあるが、本発明はこれに加えて、温水供給運転時にも排熱流体を利用して、冷媒の凝縮作用による温水生成効果の向上を図る吸収式冷温水機を提供する。【解決手段】バーナなどの加熱装置により加熱される再生器と、他設備から排熱流体供給管を通して供給される排熱流体から熱回収する排熱再生器を備えた吸収式冷温水機において、排熱再生器内へ配設した排熱再生器用伝熱管と蒸発器内へ配設した蒸発器用伝熱管を設け、排熱流体が、排熱再生器用伝熱管へ流れるか蒸発器用伝熱管へ流れるかの切り替えを行なう流路切り替え弁を設けたこと。【選択図】図１
2010085006.tif 000002
【特許請求の範囲】
【請求項１】
バーナなどの加熱装置により加熱される再生器と、凝縮器と、蒸発器と、吸収器と、コ・ジェネレーションシステム等他設備から排熱流体供給管を通して供給される排熱流体から熱回収する排熱再生器とを吸収液配管および冷媒配管で接続して、吸収液および冷媒を循環させる吸収式冷温水機において、前記排熱再生器内へ配設した排熱再生器用伝熱管と前記蒸発器内へ配設した蒸発器用伝熱管を設け、前記排熱流体が、前記排熱再生器用伝熱管へ流れるか前記蒸発器用伝熱管へ流れるかの切り替えを行なう流路切り替え弁を設けたことを特徴とする吸収式冷温水機。
【請求項２】
前記流路切り替え弁は、当該吸収式冷温水機の冷水供給運転または温水供給運転に連動して切換えられることを特徴とする請求項１に記載の吸収式冷温水機。
【請求項３】
前記流路切り替え弁は、当該吸収式冷温水機の冷水供給運転時、前記排熱流体供給管を前記排熱再生器へと連通するよう切り換えられ、該吸収式冷温水機の温水供給運転時、前記排熱流体供給管を前記蒸発器用伝熱管へと連通するよう切り替えられることを特徴とする請求項１または２に記載の吸収式冷温水機。
【請求項４】
前記蒸発器用伝熱管は、前記蒸発器の底部付近に設けられ、前記蒸発器内に貯留される冷媒液に没するよう設けられていることを特徴とする請求項１乃至請求項３のいずれかに記載の吸収式冷温水機。
【請求項５】
前記蒸発器用伝熱管へと接続される前記排熱流体供給管は、前記排熱再生器へ供給される前記排熱の入熱量を制御する流量制御弁より前記排熱再生器側で分岐されていることを特徴とする請求項１乃至請求項４のいずれかに記載の吸収式冷温水機。
【発明の詳細な説明】
【技術分野】
【０００１】
本発明は、吸収液を加熱して冷媒を蒸発分離する再生器の熱源として、他の設備から供給される排熱なども利用する吸収式冷温水機に係わるものである。
【背景技術】
【０００２】
これまでの吸収式冷温水機では、燃焼装置を備えた再生器と、再生器で生成された冷媒を冷却水により冷却して凝縮させる凝縮器と、凝縮器で凝縮された冷媒を２次冷媒（水）が流通する伝熱管へ散布して再度蒸発させる真空状態の蒸発器と、再度蒸発した冷媒を濃吸収液へと吸収させて稀吸収液を生成する吸収器とを吸収液管および冷媒管で接続し、前記燃焼装置の燃焼量を制御しながら吸収液および冷媒を循環させて、負荷へと前記２次冷媒の供給運転を行うものとなっている。そして、近年では、省エネルギーを推進させた、コ・ジェネレーションシステム等から排出される排熱から熱回収する排熱再生器を備え、前記排熱を利用して前記燃焼装置で消費される燃料消費量の削減を可能とした排熱回収型の吸収式冷温水機が提案されている。（例えば、特許文献１参照。）
【０００３】
この特許文献１の吸収式冷温水機においては、ガスバーナ１Ａで天然ガスなどを燃やしたときに出る燃焼熱と、排熱流体供給管３０を介してコ・ジェネレーションシステムなどの他の設備から供給される排熱流体とを熱源として吸収液を加熱し沸騰させるので、熱効率が高い。したがって、省資源であり、また、二酸化炭素の排出量を削減することができると云ったメリットもある。
【特許文献１】特開２００５−３０００６９号公報
【発明の開示】
【発明が解決しようとする課題】
【０００４】
しかしながら、前記排熱の供給がある場合には、ガスバーナ１Ａ（燃焼装置）の燃焼運転を行わずとも、排熱流体供給管３０を介して供給される前記排熱からの熱回収量を制御して運転させることにより、冷水供給運転が可能であったものの、温水供給運転を行う場合は、吸収器７から送出された稀吸収液を高温再生器１へと送り、この稀吸収液をガスバーナ１Ａ（燃焼装置）の燃焼によって高温再生器１で加熱しなければならないものとなっており、地球温暖化防止などの観点から、この改善が望まれていた。
【０００５】
以上のことから、本発明は、前記排熱からの充分な熱回収が行なえるとともに、温水供給運転時にも前記排熱からの熱回収を利用可能とした吸収式冷温水機を提供するものである。
【課題を解決するための手段】
【０００６】
第１発明の吸収式冷温水機は、バーナなどの加熱装置により加熱される再生器と、凝縮器と、蒸発器と、吸収器と、コ・ジェネレーションシステム等他設備から排熱流体供給管を通して供給される排熱流体から熱回収する排熱再生器とを吸収液配管および冷媒配管で接続して、吸収液および冷媒を循環させる吸収式冷温水機において、前記排熱再生器内へ配設した排熱再生器用伝熱管と前記蒸発器内へ配設した蒸発器用伝熱管を設け、前記排熱流体が、前記排熱再生器用伝熱管へ流れるか前記蒸発器用伝熱管へ流れるかの切り替えを行なう流路切り替え弁を設けたことを特徴とする。
【０００７】
第２発明の吸収式冷温水機は、第１発明において、前記流路切り替え弁は、当該吸収式冷温水機の冷水供給運転または温水供給運転に連動して切換えられることを特徴とする。
【０００８】
第３発明の吸収式冷温水機は、第１発明または第２発明において、前記流路切り替え弁は、当該吸収式冷温水機の冷水供給運転時、前記排熱流体供給管を前記排熱再生器へと連通するよう切り換えられ、該吸収式冷温水機の温水供給運転時、前記排熱流体供給管を前記蒸発器用伝熱管へと連通するよう切り替えられることを特徴とする。
【０００９】
第４発明の吸収式冷温水機は、第１発明乃至第３発明のいずれかにおいて、前記蒸発器用伝熱管は、前記蒸発器の底部付近に設けられ、前記蒸発器内に貯留される冷媒液に没するよう設けられていることを特徴とする。
【００１０】
第５発明の吸収式冷温水機は、第１発明乃至第４発明のいずれかにおいて、前記蒸発器用伝熱管へと接続される前記排熱流体供給管は、前記排熱再生器へ供給される前記排熱の入熱量を制御する流量制御弁より前記排熱再生器側で分岐されていることを特徴とする。
【発明の効果】
【００１１】
本発明では、温水供給運転にも、コ・ジェネレーションシステム等の他の設備から供給される排熱流体の熱回収を利用して、ガスバーナでの燃料消費量を低減しながら冷水供給運転（冷房運転）と温水供給運転（暖房運転）を行なうことができる。また、排熱流体が供給されない状態では、ガスバーナの燃焼により高温再生器での吸収液の加熱作用によって、冷水供給運転（冷房運転）と温水供給運転（暖房運転）を行なうことができる。このため、従来よりも向上した吸収式冷温水機を提供できる。
【００１２】
第２発明は、上記効果に加えて、流路切り替え弁は、吸収式冷温水機の冷水供給運転または温水供給運転に連動して切換えられることにより、安定した制御が達成できる藻野となる。
【００１３】
第３発明は、冷水供給運転時、排熱流体供給管が排熱再生器へ連通して、吸収器で冷媒を吸収して濃度の薄くなった吸収液の排熱流体を加熱することによって、冷媒を蒸発分離して濃縮される効果が得られ、一方、温水供給運転時は、排熱流体供給管を蒸発器用伝熱管へと連通することにより、冷媒の凝縮作用による温水生成効果の向上が図れ、従来よりも向上した吸収式冷温水機を提供できる。
【００１４】
第４発明は、上記効果に加えて、蒸発器用伝熱管は、蒸発器内に貯留される冷媒液に没することにより、その冷媒液の蒸発に寄与し、冷温水が流れる蒸発器内の伝熱管で温水とする効果が向上する。
【００１５】
第５発明は、蒸発器用伝熱管への分岐部が、排熱の入熱量を制御する流量制御弁より排熱再生器側であることにより、冷水供給運転時と温水供給運転時の排熱の入熱量制御が、１つの流量制御弁で行なえるため、コストアップを抑制できると共に制御の簡素化が達成できるものとなる。
【発明を実施するための最良の形態】
【００１６】
本発明の吸収式冷温水機は、バーナなどの加熱装置により加熱される再生器と、凝縮器と、蒸発器と、吸収器と、コ・ジェネレーションシステム等他設備から供給される排熱流体から熱回収する排熱再生器とを吸収液配管および冷媒配管で接続して、吸収液および冷媒を循環させる吸収式冷温水機において、前記排熱再生器内へと延設された熱源配管の途中に切換弁および分岐部を設ける共に、前記蒸発器内へ伝熱管を設けて、前記分岐部より分岐された熱源枝配管を接続したものであり、本発明の実施例を以下に記載する。
【実施例１】
【００１７】
次に、本発明の吸収式冷温水機の実施の形態について説明する。図１は本発明に係る吸収式冷温水機の配管構成図、図２は本発明に係る吸収式冷温水機の冷水供給運転（冷房運転）での流体の流れを示す図、図３は本発明に係る吸収式冷温水機の温水供給運転（暖房運転）での流体の流れを示す図である。
【００１８】
本発明に係る吸収式冷温水機１００は、冷媒に水を使用し、吸収液に臭化リチウム（ＬｉＢｒ）を使用したものであり、１は高温再生器であり、加熱装置であるガスバーナ１Ａにおいて発生する燃焼熱を吸収液の加熱源とし、吸収液を加熱し沸騰させて蒸発器６に送る冷媒を蒸発分離すると共に、吸収液を濃縮再生する再生器である。２は低温再生器であり、高温再生器１から供給される冷媒蒸気を吸収液の加熱源とする。３は排熱再生器であり、コ・ジェネレーションシステムなどの他の設備から供給される排熱流体を加熱源とする。
【００１９】
更に、４は低温再生器２内で吸収液から蒸発分離された冷媒蒸気が流入可能に低温再生器２に並設された凝縮器、５は排熱再生器３内で吸収液から蒸発分離された冷媒蒸気が流入可能に排熱再生器３に並設された排熱凝縮器、７は蒸発器６内で蒸発した冷媒蒸気が流入可能に蒸発器６に並設された吸収器、８は低温熱交換器、９は高温熱交換器、１０は冷媒ポンプ、１１と１２は吸収液ポンプ、１３は三方弁からなる流量制御弁、１４〜１７は開閉弁、１８〜２３は吸収液管、２４〜２９は冷媒管、３０は排熱流体供給管、３１はバイパス管、３２は冷温水管、３３は冷却水管、３４は均圧管であり、これらが配管接続されて、蒸発器６内に設置された伝熱管６Ａの管壁を介して所定温度に冷却／または加熱された水が、冷温水管３２を介して図示しない熱負荷に循環供給可能に構成されている。流量制御弁１３は、後述のように、排熱流体供給管３０から排熱再生器３へ供給される排熱流体の入熱量を制御する流量制御弁である。
【００２０】
また、排熱再生器３内には、両端に排熱流体供給管３０が接続された排熱再生器用伝熱管３Ｂを配置しており、排熱再生器３の底部には吸収液の吐出口３Ａが設けられている。この吐出口３Ａには吸収液管１９の一端が接続されて、吐出口３Ａより高い位置にある排熱再生器３の吸収液が吸収液管１９に介在する吸収液ポンプ１２の運転により高温再生器１に搬送可能に設けられている。そして、伝熱管３Ｂは、全体が吸収液の吐出口３Ａの上方に位置するように、排熱再生器３の中段部分に設置されている。
【００２１】
また、伝熱管３Ｂの上方に散布器３Ｃが設置され、その散布器３Ｃに吸収液管１８の一端が接続されて、吸収液管１８に介在する吸収液ポンプ１１の運転により、冷媒を吸収して濃度が低下した吸収器７内の稀吸収液が伝熱管３Ｂの上に散布可能に構成されている。
【００２２】
また、冷温水管３２の蒸発器６出口側に温度センサ３５が設けられて、蒸発器６内の伝熱管６Ａの管壁を介して冷媒と熱交換し、冷媒が蒸発する際の潜熱により冷却されて蒸発器６から吐出した冷温水の温度が計測可能に構成されている。また、温度センサ３５が計測した冷温水の温度に基づいて、ガスバーナ１Ａ、冷媒ポンプ１０、吸収液ポンプ１１、吸収液ポンプ１２、流量制御弁１３等を制御するための制御部３６も設けられている。
【００２３】
本発明では、蒸発器６の底部に溜まる液冷媒を、排熱流体供給管３０の排熱流体によって加熱し蒸発させるための蒸発器用伝熱管６Ｂが、伝熱管６Ａの下方で蒸発器６内に貯留される冷媒液に没するよう設けられている。そして、排熱流体供給管３０の排熱流体が、伝熱管３Ｂ側へ流れるか、伝熱管６Ｂ側へ流れるかの切り替えを流路切り替え弁によって行なう。その１つの構成は、図１乃至図３に示すように、伝熱管６Ｂへの分岐部Ｓ１、Ｓ２が、排熱再生器３の伝熱管３Ｂへ供給される排熱流体の入熱量を制御する流量制御弁１３よりも、排熱再生器３側で分岐されるようにしている。このため、流量制御弁１３よりも排熱再生器３側の位置において、排熱流体供給管３０の排熱流体の往路３０Ａと復路３０Ｂの途中に分岐部Ｓ１、Ｓ２を設け、この分岐部Ｓ１、Ｓ２に伝熱管６Ｂの往路６Ｂ１と復路６Ｂ２が接続されている。そして、この分岐部Ｓ１、Ｓ２に流路切り替え弁３７Ａ、３７Ｂを設け、排熱流体供給管３０の排熱流体が、伝熱管３Ｂ側へ流れるか、伝熱管６Ｂ側へ流れるかの切り替えを行なう。
【００２４】
先ず、冷水供給運転（冷房運転）について図２に基づき説明する。上記構成の吸収式冷温水機１００においては、排熱流体が利用できる状態であれば、流路切り替え弁３７Ａ、３７Ｂは、冷水供給運転（冷房運転）に連動して切り替えられるようにするために、流路切り替え弁３７Ａ、３７Ｂは、冷水供給運転（冷房運転）スイッチの操作に基づき排熱再生器３側の伝熱管３Ｂ側へ切り替えられた状態である。即ち、排熱流体供給管３０の入口から流入した排熱流体が、往路３０Ａから伝熱管３Ｂを流れて復路３０Ｂから帰還する状態であり、伝熱管６Ｂへ排熱流体が流れない状態である。また、開閉弁１４〜１７は閉弁した状態である。
【００２５】
この状態で、ポンプＰ１の運転によって冷却水管３３に冷却水を流し、ガスバーナ１Ａで天然ガスなどを燃焼させると共に、排熱流体供給管３０を介して排熱再生器３内に設けられた伝熱管３Ｂにコ・ジェネレーションシステムなどから供給される高温・高圧の水蒸気、高温水などの排熱流体を流しながら、吸収液ポンプ１１を運転して吸収器７の吸収液溜りに溜まった吸収液を散布器３Ｃから伝熱管３Ｂの上に散布する。
【００２６】
高温再生器１で生成された高温の冷媒蒸気は、冷媒管２４を通って低温再生器２に入り、高温再生器１で濃縮され、吸収液管２０により高温熱交換器９を経由して低温再生器２に入った吸収液を加熱して放熱凝縮し、凝縮器４に入る。
【００２７】
また、低温再生器２における加熱により吸収液から分離された冷媒蒸気は凝縮器４に入り、冷却水管３３内を流れる冷却水と熱交換して凝縮液化し、冷媒管２４から凝縮して供給される冷媒と一緒になって冷媒管２６を通って蒸発器６に入る。
【００２８】
排熱再生器３で生成された高温の冷媒蒸気も排熱凝縮器５に入り、冷却水管３３内を流れる冷却水と熱交換して凝縮液化し、冷媒管２７、２６を通って蒸発器６に入る。
【００２９】
蒸発器６に入って冷媒液溜りに溜った冷媒液は、冷温水管３２が接続された伝熱管６Ａの上に冷媒ポンプ１０によって散布され、ポンプＰ２の運転によって冷温水管３２を介して伝熱管６Ａへ循環供給される水と熱交換して蒸発し、伝熱管６Ａの内部を流れる水を冷却する。
【００３０】
そして、蒸発器６で蒸発した冷媒は吸収器７に入り、低温再生器２で加熱されて冷媒を蒸発分離し、吸収液の濃度が一層高まって再生された吸収液、すなわち吸収液管２１により低温熱交換器８を経由して供給され、上方から散布される濃吸収液に吸収される。
【００３１】
吸収器７で冷媒を吸収して濃度の薄くなった吸収液、すなわち稀吸収液は吸収液ポンプ１１の運転により低温熱交換器８を経由して排熱再生器３に搬送され、散布器３Ｃから伝熱管３Ｂの上に散布され、前記したように排熱流体供給管３０から供給される排熱流体と熱交換して加熱され、冷媒を蒸発分離して濃縮される。
【００３２】
上記のように運転が行われると、蒸発器６内の伝熱管６Ａにおいて冷媒の気化熱によって冷却された冷水が、冷温水管３２を介して図示しない熱負荷に循環供給できるので、冷房などの冷却運転が行える。
【００３３】
この場合、排熱流体供給管３０から伝熱管３Ｂへの排熱流体の供給が、ガスバーナ１Ａでの天然ガスなどの燃焼に優先される。すなわち、制御部３６は、制御部３６内に設定した冷温水データと温度センサ３５が計測する冷温水の温度との温度差から、ポンプＰ２により供給される負荷の負荷量を演算して流量制御弁１３の開度を算出し、この流量制御弁１３の開度を制御して、冷温水の温度が所定の設定温度、例えば７℃まで低下するように先ず流量制御弁１３が排熱流体の入熱量を制御し、冷温水管３２から負荷への冷温熱の供給運転を行う。
【００３４】
このとき、流量制御弁１３を全開状態として伝熱管３Ｂに流れる排熱流体の量を最大にしても、前記負荷量に対する前記冷温熱の供給量が不足する場合には、即ち、温度センサ３５が計測する冷温水の温度が設定温度の７℃まで低下しないときは、流量制御弁１３は全開状態のままで、この不足分を補うようにガスバーナ１Ａの点火により高温再生器１で吸収液の加熱を行って、高温再生器１でも冷媒蒸気の生成と、吸収液の濃縮再生を行い、蒸発器６で冷却されて冷温水管３２に吐出する冷温水の温度が設定温度の７℃になるように、ガスバーナ１Ａによる燃焼量を制御して、所定温度の冷温水の供給運転を行う。
【００３５】
上記のように、吸収器７にて冷媒を吸収した稀吸収液は、吸収液ポンプ１１により排熱再生器３内へ散布され、熱源伝熱管３Ｂ内を流通する前記排熱流体からの熱回収を行なって、温度および濃度が上昇し、吸収液ポンプ１２によって、高温熱交換器９を流通し、高温再生器１へと送られる。このとき、該稀吸収液は、排熱再生器３で前記排熱流体からの熱回収を行ない、ある程度、温度および濃度が上昇しているため、燃焼装置１Ａの燃焼量を低減しても、前記負荷に対し、充分な冷熱供給を行なうことができる。
【００３６】
そして、ガスバーナ１Ａによる加熱量を最少に絞っても、温度センサ３５が計測する冷温水の温度が設定温度の７℃まで上昇しない場合は、前記排熱流体による加熱温度が十分であるため、ガスバーナ１Ａによる加熱を停止し、更に流量制御弁１３を制御して伝熱管３Ｂへの排熱流体の供給量を絞り、蒸発器６で冷却されて冷温水管３２に吐出する冷温水の温度が設定温度の７℃になるように制御される。
【００３７】
なお、排熱流体供給管３０へ排熱流体が供給されない状態では、伝熱管３Ｂによる加熱作用は期待できないため、上記のように、ガスバーナ１Ａの燃焼により高温再生器１での吸収液の加熱を促進させる作用によって、冷水供給運転（冷房運転）を行なうことができる。
【００３８】
次に温水供給運転（暖房運転）について図３に基づき説明する。この場合、上記構成の吸収式冷温水機１００において、流路切り替え弁３７Ａ、３７Ｂは、温水供給運転（暖房運転）に連動して切り替えられるようにするために、温水供給運転（暖房運転）スイッチの操作に基づき流路切り替え弁３７Ａ、３７Ｂは、排熱再生器３側から蒸発器６内の伝熱管６Ｂ側へ切り替えられた状態である。即ち、排熱流体供給管３０の入口から流入した排熱流体は、伝熱管６Ｂの往路６Ｂ１へ流入し、伝熱管６Ｂと復路６Ｂ２を順次流れて、復路３０Ｂから帰還する状態であり、伝熱管３Ｂへ排熱流体が流れない状態である。また、開閉弁１４乃至１７は開弁した状態である。
【００３９】
この状態で、ガスバーナ１Ａで天然ガスなどを燃焼させて高温再生器１内の吸収液を加熱し沸騰させると、高温再生器１で稀吸収液から蒸発した冷媒蒸気は、冷媒管２４の途中から流路抵抗の小さい冷媒管２５を通って吸収器７に流入し、また、吸収液は、吸収液管２３から開閉弁１４を通って吸収器７内へ進入する。そして、この冷媒蒸気が蒸発器６と吸収器７との間のエリミネータを通って蒸発器６に入り、主として、この冷媒蒸気によって伝熱管６Ａが加熱される。即ち、この冷媒蒸気が伝熱管６Ａの管壁に触れることにより、この冷媒蒸気は、冷温水管３２から供給される水と伝熱管６Ａを介して熱交換して、伝熱管６Ａ内の水を加熱して凝縮し、蒸発器６の底部に溜まる。
【００４０】
一方、上記のように、伝熱管６Ｂへ排熱流体供給管３０の排熱流体が流れるため、蒸発器６の底部に溜まる液冷媒は、伝熱管６Ｂの管壁と熱交換し、伝熱管６Ｂ内の排熱流体からの熱回収により加熱され、それによって蒸発器６内の温度が上昇し、冷温水管３２から供給される水は、伝熱管６Ａの管壁を通して加熱される。また、蒸発器６の底部に溜まる液冷媒は、伝熱管６Ｂによって加熱されて蒸発し、上方の伝熱管６Ａと熱交換して伝熱管６Ａ内の水を加熱して凝縮することにより、冷媒管２５を通って吸収器７から蒸発器６に入った冷媒蒸気の凝縮による加熱作用に付加される。
【００４１】
このようにして、伝熱管６Ａ内を流れている水が、冷媒の凝縮熱により加熱されると共に、伝熱管６Ｂ内を流れる排熱流体からの熱回収により加熱されて温水となるので、その温水を負荷に循環供給することで、暖房などの加熱運転が行える。
【００４２】
この場合、制御部３６は、制御部３６内に設定した冷温水データと温度センサ３５が計測する冷温水の温度との温度差から、ポンプＰ２により供給される負荷の負荷量を演算して流量制御弁１３の開度を算出し、この流量制御弁１３の開度を制御して、冷温水の温度が所定の設定温度、例えば５５℃まで上昇するように先ず流量制御弁１３が制御され、冷温水管３２から負荷への冷温熱の供給運転を行う。
【００４３】
このとき、流量制御弁１３を全開状態として伝熱管６Ｂに流れる排熱流体の量を最大にしても、前記負荷量に対する前記冷温熱の供給量が不足する場合には、即ち、温度センサ３５が計測する冷温水の温度が設定温度の５５℃まで上昇しないときは、流量制御弁１３は全開状態のままで、この不足分を補うようにガスバーナ１Ａの燃焼量を増加させる制御によって、高温再生器１での吸収液の加熱を促進させる。このようにして、蒸発器６で冷却されて冷温水管３２に吐出する冷温水の温度が設定温度の５５℃になるように、ガスバーナ１Ａによる燃焼量を制御して、所定温度の冷温水の供給運転を行う。
【００４４】
また、伝熱管６Ｂへ排熱流体が流れることにより、この排熱流体からの熱回収のみで冷温水管３２に接続される負荷への温水供給（温熱供給）が十分にできない場合でも、高温再生器１へ送り込まれる吸収液の温度を上昇させることができるため、高温再生器１で加熱するバーナ１Ａの燃焼量を低減することができ、省エネルギーを推進した経済的な運転ができるものとなる。
【００４５】
この温水供給運転（暖房運転）において、蒸発器６の底部に溜まる液冷媒は、冷媒ポンプ１０によって冷媒管２９から吸収器７に入り、高温再生器１で冷媒を蒸発分離して吸収液管２３から吸収器７に流入する吸収液と混合され、吸収液ポンプ１１、１２の運転によって高温再生器１へ帰還する。
【００４６】
なお、排熱流体供給管３０へ排熱流体が供給されない状態では、伝熱管６Ｂによる加熱作用は期待できないため、上記のように、ガスバーナ１Ａの燃焼により高温再生器１での吸収液の加熱を促進させる作用によって、温水供給運転（暖房運転）を行なうことができる。
【００４７】
なお、開閉弁１７が介在する冷媒管２９は、冷媒ポンプ１０の上流側と吸収器７の底部との間に設け、温水供給運転（暖房運転）において、冷媒ポンプ１０を運転しない構成でもよい。
【００４８】
上記のように、排熱流体供給管３０を流れる排熱流体を利用して、ガスバーナ１Ａでの燃料消費量を低減しながら冷水供給運転（冷房運転）と温水供給運転（暖房運転）を行なうことができる。また、排熱流体供給管３０へ排熱流体が供給されない状態では、ガスバーナ１Ａの燃焼により高温再生器１での吸収液の加熱作用によって、冷水供給運転（冷房運転）と温水供給運転（暖房運転）を行なうことができる。
【００４９】
上記において、高温再生器１での吸収液の加熱装置として、ガスバーナ１Ａを用いたが、これに替わって、１００℃を超える高温蒸気を加熱装置として用いるものでもよい。
【産業上の利用可能性】
【００５０】
本発明は、吸収式冷凍機の配管や制御機構等は、種々変更ができ、上記の形態に限定されず、本発明の技術的範囲を逸脱しない限り種々の形態に適用できるものである。
【図面の簡単な説明】
【００５１】
【図１】本発明に係る吸収式冷温水機の配管構成図である。
【図２】本発明に係る吸収式冷温水機の冷水供給運転（冷房運転）での流体の流れを示す図である。
【図３】本発明に係る吸収式冷温水機の温水供給運転（暖房運転）での流体の流れを示す図である。
【符号の説明】
【００５２】
１・・・・高温再生器
２・・・・低温再生器
３・・・・排熱再生器
３Ａ・・・吸収液の吐出口
３Ｂ・・・排熱再生器用伝熱管
３Ｃ・・・散布器
４・・・・凝縮器
５・・・・排熱凝縮器
６・・・・蒸発器
６Ａ・・・伝熱管
６Ｂ・・・蒸発器用伝熱管
７・・・・吸収器
８・・・・低温熱交換器
９・・・・高温熱交換器
１０・・・冷媒ポンプ
１１・・・吸収液ポンプ
１２・・・吸収液ポンプ
１３・・・流量制御弁（三方弁）
１４〜１７・・・開閉弁
１８〜２３・・・吸収液管
２４〜２９・・・冷媒管
３０・・・排熱流体供給管
３１・・・バイパス管
３２・・・冷温水管
３３・・・冷却水管
３４・・・均圧管
３５・・・温度センサ
３６・・・制御部
３７Ａ・・流路切り替え弁
３７Ｂ・・流路切り替え弁
１００・・吸収式冷温水機
【図１】
2010085006.tif 000003
【図２】
2010085006.tif 000004
【図３】
2010085006.tif 000005